(57)【要約】【課題】自動撮影モードで撮影した場合に失敗写真を無くすことが可能な画像記録装置を提供する。【解決手段】撮像手段と、自動撮影モード設定手段とを備えた画像記録装置において、撮影によって得られた画像データから画像の明るさを判定する明るさ判定手段（明るさ判定部（１０４−１ａ））と、該明るさ判定手段が所定範囲にないと判定した場合には、撮影条件を変更指示する撮影条件変更指示手段（撮影条件変更指示部（１０４−１ｂ））と、該撮影条件変更手段が変更した撮影条件で再撮影を指示する再撮影指示手段（（再撮影指示部（１０４−１ｃ））とを備えた。【選択図】図２
2009005058.tif 000002
【特許請求の範囲】
【請求項１】
被写体像を光電変換によって電気信号に変換する撮像手段と、あらかじめ設定された撮影条件に応じて自動撮影を行う自動撮影モード設定手段とを備えた画像記録装置において、
撮影によって得られた画像データから画像の明るさを判定する明るさ判定手段と、
該明るさ判定手段が所定範囲にないと判定した場合には、撮影条件を変更指示する撮影条件変更指示手段と、
該撮影条件変更手段が変更した撮影条件で再撮影を指示する再撮影指示手段と
を備えることを特徴とする画像記録装置。
【請求項２】
請求項１記載の画像記録装置において、
前記自動撮影モードは、あらかじめ設定された時間間隔で撮影が繰り返されるインターバル撮影モードであることを特徴とする画像記録装置。
【請求項３】
請求項１記載の画像記録装置において、
前記自動撮影モードは、あらかじめ設定された時刻に撮影が行われるタイマー撮影モードであることを特徴とする画像記録装置。
【請求項４】
請求項１記載の画像記録装置において、
前記自動撮影モードは、操作スイッチの操作からあらかじめ設定された時間経過後に撮影が行われるセルフタイマー撮影モードであることを特徴とする画像記録装置。
【請求項５】
請求項１記載の画像記録装置において、
前記自動撮影モードは、遠隔操作によって撮影が行われるリモコン撮影モードであることを特徴とする画像記録装置。
【請求項６】
請求項１〜請求項５記載の画像記録装置において、
前記自動撮影モードで撮影された画像を全て記録保存するか、再撮影無しの画像および再撮影の場合に再撮影された画像を記録保存するかの選択をする選択手段を備えることを特徴とする画像記録装置。
【請求項７】
請求項１〜請求項６記載の画像記録装置において、
再撮影を行うことを視覚的に表現する視覚的表現手段または再撮影を行うことを聴覚的に表現する聴覚的表現手段の何れか一方、または双方を備え、
前記自動撮影モードでの撮影において再撮影を行う場合は、視覚的または聴覚的、または視覚的および聴覚的に、表現を行うことを特徴とする画像記録装置。
【請求項８】
請求項１〜請求項７記載の画像記録装置において、
前記明るさ判定手段は、明るさを評価する画像の領域を設定可能であることを特徴とする画像記録装置。
【発明の詳細な説明】
【技術分野】
【０００１】
本発明は、画像記録装置に関し、特に、自動撮影モードで撮影した場合に失敗写真を無くすことが可能な画像記録装置に関する。
【背景技術】
【０００２】
近年のディジタルスチルカメラ（以下、ディジタルカメラ）や銀塩式フィルムカメラには、各種の自動撮影機能（自動撮影モード）が備えられている機種が多い。自動撮影モードとしては、例えば、あらかじめ設定された時間間隔で撮影が繰り返されるインターバル撮影モード、あらかじめ設定された時刻に撮影が行われるタイマー撮影モード、操作スイッチの操作からあらかじめ設定された時間経過後に撮影が行われるセルフタイマー撮影モード、遠隔操作によって撮影が行われるリモコン撮影モードなどが知られている。
【０００３】
自動撮影モードに関する従来技術としては、以下のものがある。
＜従来技術１＞（オートブラケット撮影）
1回のレリーズ操作（シャッターボタンを押す操作）で露出を変えて自動的に複数枚撮影する技術である。露出の設定は、例えば、適正露出に対して−０．５ＥＶ、適正露出に対して＋０．５ＥＶとなるように、絞りとシャッタースピードの組み合わせを変更して撮影するように設定しておく。フラッシュを使用する場合は、フラッシュの発光量も含めて変更することもできる。
【０００４】
＜従来技術２＞
1回のレリーズ操作で、１枚毎にフラッシュの発光量を切り換えて所定枚数撮影する技術である（例えば、特許文献１）。
＜従来技術３＞
1回のレリーズ操作で、撮影条件を変化させて複数枚の撮影を行い、記録された画像の中から選択されたものだけを記録する記憶媒体を備えている技術である（例えば、特許文献２）。
【０００５】
また、ストロボに関する従来技術には以下のものが知られている。
ストロボ光による適正露光が得られるために必要な光量は、ガイドナンバー（ＧＮｏ．）と称する次式で与えられる数値で表される。
ＧＮｏ．＝Ｆ×Ｌ
ここに、Ｆ：撮影レンズのＦ値、Ｌ：被写体までの距離
但し、フィルムのＩＳＯ感度、或いは撮像素子のＩＳＯ相当感度が１００の場合である。
【０００６】
＜従来技術４＞（オートストロボ方式）
ストロボから照射され、被写体で反射された光を、カメラ本体またはカメラに装着可能なストロボ装置に設けられた測光センサーで測定し、その出力が所定の値になったとき（適正露光になったとき）にストロボの発光を停止させる技術である。
＜従来技術５＞（ＴＴＬダイレクト調光方式）
ストロボから照射され、被写体で反射された光が撮影レンズを通った光のフィルム面での反射光をカメラ本体に設けられた測光センサーで測定し、その出力が所定の値になったとき（適正露光になったとき）にストロボの発光を停止させる技術である。
【０００７】
＜従来技術６＞（プリ発光方式）
レリーズ操作が行われたとき、撮影動作に先立つタイミングでストロボを小光量で発光（プリ発光）させ、そのときの被写体からの反射光をカメラ本体に設けられた測光センサーで測定した結果、または撮像手段が光電変換を行う撮像素子の場合は撮像素子の測光結果から、撮影動作における本露光時のストロボ発光量を決定する技術である。
【０００８】
【特許文献１】特許第２７８０３５０号（第２頁、第３図）
【特許文献２】特許第２８７０７７３号（第２頁、第２図）
【発明の開示】
【発明が解決しようとする課題】
【０００９】
ところで、前述のようにインターバル撮影モードは、撮影を一度スタートさせれば、後は自動的にあらかじめ設定された時間間隔ごとに撮影を繰り返すモードである。このインターバル撮影モードは、例えば、何かの実験の様子を一定時間ごとに記録したり、或いは開花の様子を記録したりする場合に便利な機能である。
しかしながら、例えば開花の様子を撮影する場合、１時間という撮影間隔を設定して何日間も撮影が続くこともあり、撮影された画像をその都度確認することはできないので、後になって撮影が失敗していたことに気づくことがある。
【００１０】
このように長い時間にわたっての撮影になると、被写体の明るさが、明るいときから暗いときまで大きく変わり、フラッシュを使用した撮影も必要になってくる。そして、特にフラッシュを使用したときに露出で失敗をすると、画像が真っ黒でほとんど写っていなかったり、逆に発光量が多すぎて白く飛んでしまうというようなことがあり、そのことが後になって初めて分かるので、取り返しがつかないことになってしまう。
【００１１】
このような問題に対して前述の従来技術１〜３があり、これらの従来の技術は、１回のレリーズ操作で撮影条件を替えて複数枚の撮影を行うので、確かに失敗写真の発生頻度を少なくすることはできるが、皆無にすることはできない。
また、これらの従来技術をインターバル撮影に適用すると、その都度複数枚の撮影を行うため大量のメモリーが必要になり（ディジタルカメラの場合）、コストアップするだけでなく、電力消費も多くなるという欠点がある。
【００１２】
本発明は上記の問題を解決すべくなされたものであり、自動撮影モードで撮影した場合に失敗写真を無くすことが可能な画像記録装置の提供を目的とする。
【課題を解決するための手段】
【００１３】
この目的を達成するために請求項1記載の発明は、被写体像を光電変換によって電気信号に変換する撮像手段（ＣＣＤ１０１）と、あらかじめ設定された撮影条件に応じて自動撮影を行う自動撮影モード設定手段（メニューＳＷ（ＳＷ６））とを備えた画像記録装置において、
撮影によって得られた画像データから画像の明るさを判定する明るさ判定手段（明るさ判定部（１０４−１ａ））と、
該明るさ判定手段が所定範囲にないと判定した場合には、撮影条件を変更指示する撮影条件変更指示手段（撮影条件変更指示部（１０４−１ｂ））と、
該撮影条件変更手段が変更した撮影条件で再撮影を指示する再撮影指示手段（（再撮影指示部（１０４−１ｃ））と
を備えることを特徴とする。
【００１４】
以上の構成を図示すると、例えば図１，図２に示すようになる。図１，図２に示すように、明るさ判定部（１０４−１ａ）は、画像データが適正露出に対して所定範囲であるか否かを判定し、所定範囲外の場合は、撮影条件変更指示部（１０４−１ｂ）が撮影条件（絞り、シャッタースピード、撮像素子の感度、フラッシュの発光量など）の変更指示を行い、再撮影指示部（１０４−１ｃ）が変更後の撮影条件での再撮影の指示を行う。
このようにすれば、自動撮影モードにおいて、撮影された画像の明るさが適切かどうか判定し、適切でないと判定されると撮影条件を修正変更して自動的に再度撮影を行うので、失敗写真を無くすことができる。
また、適切でないと判定されたときのみ再撮影を行うので、メモリーや電力の消費の増加を最小限に抑えられる。
【００１５】
また、請求項２記載の発明は、請求項１記載の画像記録装置において、
前記自動撮影モードは、あらかじめ設定された時間間隔で撮影が繰り返されるインターバル撮影モードであることを特徴とする。
以上の作用を図示すると、例えば図３に示すようになる。
このようにすれば、インターバル撮影モードにおいて、撮影された画像の明るさが適切かどうか判定し、適切でないと判定されると撮影条件を修正変更して自動的に再度撮影を行うので、失敗写真を無くすことができる。
【００１６】
また、請求項３記載の発明は、請求項１記載の画像記録装置において、
前記自動撮影モードは、あらかじめ設定された時刻に撮影が行われるタイマー撮影モードであることを特徴とする。
以上の作用を図示すると、例えば図４に示すようになる。
このようにすれば、タイマー撮影モードにおいて、撮影された画像の明るさが適切かどうか判定し、適切でないと判定されると撮影条件を修正変更して自動的に再度撮影を行うので、失敗写真を無くすことができる。
【００１７】
また、請求項４記載の発明は、請求項１記載の画像記録装置において、
前記自動撮影モードは、操作スイッチの操作からあらかじめ設定された時間経過後に撮影が行われるセルフタイマー撮影モードであることを特徴とする。
以上の作用を図示すると、例えば図５に示すようになる。
このようにすれば、セルフタイマー撮影モードにおいて、撮影された画像の明るさが適切かどうか判定し、適切でないと判定されると撮影条件を修正変更して自動的に再度撮影を行うので、失敗写真を無くすことができる。
【００１８】
また、請求項５記載の発明は、請求項１記載の画像記録装置において、
前記自動撮影モードは、遠隔操作によって撮影が行われるリモコン撮影モードであることを特徴とする。
このようにすれば、リモコン撮影モードにおいて、撮影された画像の明るさが適切かどうか判定し、適切でないと判定されると撮影条件を修正変更して自動的に再度撮影を行うので、失敗写真を無くすことができる。
【００１９】
また、請求項６記載の発明は、請求項１〜請求項５記載の画像記録装置において、
前記自動撮影モードで撮影された画像を全て記録保存するか、再撮影無しの画像および再撮影の場合に再撮影された画像を記録保存するかの選択をする選択手段（メニューＳＷ（ＳＷ６））を備えることを特徴とする。
このようにすれば、撮影者の好みにより、「撮影された画像を全て記録保存」か、「再撮影無しの画像および再撮影の場合に再撮影された画像を記録保存」かを、選択することができる。
【００２０】
また、請求項７記載の発明は、請求項１〜請求項６記載の画像記録装置において、
再撮影を行うことを視覚的に表現する視覚的表現手段（ＬＣＤモニタ（１０））または再撮影を行うことを聴覚的に表現する聴覚的表現手段（スピーカー（１１６−３））の何れか一方、または双方を備え、
前記自動撮影モードでの撮影において再撮影を行う場合は、視覚的または聴覚的、または視覚的および聴覚的に、表現を行うことを特徴とする。
以上の構成を図示すると、例えば、図２に示すようになる。このようにすれば、自動的に再撮影を行うことが決定した場合に、視覚的表現手段や聴覚的表現手段により、撮影者の注意を喚起することができる。
【００２１】
また、請求項８記載の発明は、請求項１〜請求項７記載の画像記録装置において、
前記明るさ判定手段は、明るさを評価する画像の領域を設定可能であることを特徴とする。
このようにすれば、撮影する一枚の画像の中で、何処を重視するかを設定できるので、撮影者のカメラの使い勝手を向上させることができる。
【発明の効果】
【００２２】
請求項１記載の発明によれば、自動撮影モードにおいて、撮影された画像の明るさが適切かどうか判定し、適切でないと判定されると撮影条件を修正変更して自動的に再度撮影を行うので、失敗写真を無くすことができる。
また、適切でないと判定されたときのみ再撮影を行うので、メモリーや電力の消費の増加を最小限に抑えられる。
【００２３】
請求項２記載の発明によれば、インターバル撮影モードにおいて、撮影された画像の明るさが適切かどうか判定し、適切でないと判定されると撮影条件を修正変更して自動的に再度撮影を行うので、失敗写真を無くすことができる。
【００２４】
請求項３記載の発明によれば、タイマー撮影モードにおいて、撮影された画像の明るさが適切かどうか判定し、適切でないと判定されると撮影条件を修正変更して自動的に再度撮影を行うので、失敗写真を無くすことができる。
【００２５】
請求項４記載の発明によれば、セルフタイマー撮影モードにおいて、撮影された画像の明るさが適切かどうか判定し、適切でないと判定されると撮影条件を修正変更して自動的に再度撮影を行うので、失敗写真を無くすことができる。
【００２６】
請求項５記載の発明によれば、リモコン撮影モードにおいて、撮影された画像の明るさが適切かどうか判定し、適切でないと判定されると撮影条件を修正変更して自動的に再度撮影を行うので、失敗写真を無くすことができる。
【００２７】
請求項６記載の発明によれば、撮影者の好みにより、「撮影された画像を全て記録保存」か、「再撮影無しの画像および再撮影の場合に再撮影された画像を記録保存」かを、選択することができる。
【００２８】
請求項７記載の発明によれば、自動的に再撮影を行うことが決定した場合に、視覚的表現手段や聴覚的表現手段により、撮影者の注意を喚起することができる。
【００２９】
請求項８記載の発明によれば、撮影する一枚の画像の中で、何処を重視するかを設定できるので、撮影者のカメラの使い勝手を向上させることができる。
【発明を実施するための最良の形態】
【００３０】
以下、本発明を図示の実施形態に基いて説明する。
図１は、本実施の形態に使用する画像記録装置の一例であるディジタルカメラの外観図であって、（Ａ）は上面図、（Ｂ）は正面図、（Ｃ）は裏面図である。
図２は、同ディジタルカメラの機能ブロック図である。
【００３１】
図１（Ａ）〜（Ｃ）に示すように、ディジタルカメラＤＳＣのボディーの上面には，レリーズシャッターＳＷ1、モードダイアルＳＷ２が配設されている。
また、ボディーの正面には、メモリカード／電池蓋（２）、ストロボ発光部（３）、光学ファインダ（正面）（４）、測距ユニット（５）、リモコン受光部（６）、鏡胴ユニット（７）、セルフＬＥＤ（１１）が配設されている。
【００３２】
また、ボディーの裏面には、光学ファインダ（裏面）（４）、ＡＦ ＬＥＤ（８）、ストロボＬＥＤ（９）、ＬＣＤモニタ（表示装置）（１０）、電源ＳＷ（１３）、ズームスイッチ（WIDE））（ＳＷ３）、ズームスイッチ（TELE）（ＳＷ４）、セルフタイマ／削除スイッチ（ＳＷ５）、メニュースイッチ（ＳＷ６）、上／ストロボスイッチ（ＳＷ７）、右／クイックレビュースイッチ（ＳＷ８）、ディスプレイスイッチ（ＳＷ９）、下／マクロスイッチ（ＳＷ1０）、左／画像確認スイッチ（ＳＷ１１）、オーケースイッチ（ＳＷ１２）が配設されている。
【００３３】
なお、上記の各部材・各種スイッチの機能・用法は周知であるので、説明を省略する。
但し、本発明の重要な動作に関連する各種の「自動撮影モードの設定」と、「撮影された画像を全て記録保存」か、「再撮影無しの画像および再撮影の場合に再撮影された画像を記録保存」かの選択と、明るさを評価する画像の領域を設定するのは、メニュースイッチ（ＳＷ６）により行う。
【００３４】
次に、図１および図２を参照しつつ、ディジタルカメラの構成および動作を説明する。
図１、図２に示すように、鏡胴ユニット（７）は、被写体の光学画像を取り込むズームレンズ（７−１ａ）、ズーム駆動モータ（７−１ｂ）からなるズーム光学系（７−１）と、フォーカスレンズ（７−２ａ）、フォーカス駆動モータ（７−２ｂ）からなるフォーカス光学系（７−２）と、絞り（７−３ａ）、絞りモータ（７−３ｂ）からなる絞りユニット（７−３）と、メカシャッタ（７−４ａ）、メカシャッタモータ（７−４ｂ）からなるメカシャッタユニット（７−４）と、各モータを駆動するモータドライバ（７−５）とを有する。
【００３５】
そして、モータドライバ（７−５）は、リモコン受光部（６）からの入力や操作部Ｋｅｙユニット（ＳＷ１〜ＳＷ１３）の操作入力に基づいて、後述するディジタルスチルカメラプロセッサ（１０４）内にあるＣＰＵブロック（１０４−３）からの駆動指令により駆動制御される。
【００３６】
ＲＯＭ（１０８）には、ＣＰＵブロック（１０４−３）にて解読可能なコードで記述された、制御プログラムや制御するためのパラメータが格納されている。このディジタルカメラの電源がオン状態になると、前記プログラムは不図示のメインメモリにロードされ、前記ＣＰＵブロック（１０４−３）はそのプログラムに従って装置各部の動作を制御するとともに、制御に必要なデータ等を、一時的に、ＲＡＭ（１０７）、及び後述するディジタルスチルカメラプロセッサ（１０４）内にあるＬｏｃａｌ ＳＲＡＭ（１０４−４）に保存する。
ＲＯＭ（１０８）に書き換え可能なフラッシュＲＯＭを使用することで、制御プログラムや制御するためのパラメータを変更することが可能となり、機能のバージョン・アップが容易に行える。
【００３７】
ＣＣＤ（１０１）は、光学画像を光電変換するための固体撮像素子であり、Ｆ／Ｅ（フロントエンド）−ＩＣ（１０２）は、画像ノイズ除去用相関二重サンプリングを行うＣＤＳ（１０２−１）、利得調整を行うＡＧＣ（１０２−２）、ディジタル信号変換を行うＡ／Ｄ（１０２−３）、ＣＣＤ１信号処理ブロック（１０４−１）より、垂直同期信号（以下、ＶＤと記す）、水平同期信号（以下、ＨＤと記す）を供給され、ＣＰＵブロック（１０４−３）によって制御されるＣＣＤ（１０１）、及びＦ／Ｅ−ＩＣ（１０２）の駆動タイミング信号を発生するＴＧ（１０２−４）を有する。
【００３８】
ディジタルスチルカメラプロセッサ（１０４）は、ＣＣＤ（１０１）よりＦ／Ｅ―ＩＣ（１０２）の出力データにホワイトバランス設定やガンマ設定を行い、又、前述したように、ＶＤ信号、ＨＤ信号を供給するＣＣＤ１信号処理ブロック（１０４−１）、フィルタリング処理により、輝度データ・色差データへの変換を行うＣＣＤ２信号処理ブロック（１０４−２）、前述した装置各部の動作を制御するＣＰＵブロック（１０４−３）、前述した制御に必要なデータ等を、一時的に、保存するＬｏｃａｌ ＳＲＡＭ（１０４−４）、パソコンなどの外部機器とＵＳＢ通信を行うＵＳＢブロック（１０４−５）、パソコンなどの外部機器とシリアル通信を行うシリアルブロック（１０４−６）、ＪＰＥＧ圧縮・伸張を行うＪＰＥＧ ＣＯＤＥＣブロック（１０４−７）、画像データのサイズを補間処理により拡大／縮小するＲＥＳＩＺＥブロック（１０４−８）、画像データを液晶モニタやＴＶなどの外部表示機器に表示するためのビデオ信号に変換するＴＶ信号表示ブロック（１０４−９）、撮影された画像データを記録するメモリカードの制御を行うメモリカードコントローラブロック（１０４−１０）を有する。
【００３９】
前記ＣＣＤ１信号処理ブロック（１０４−１）は、明るさ判定部（１０４−１ａ）と、撮影条件変更指示部（１０４−１ｂ）と、再撮影指示部（１０４−１ｃ）とを備える。
明るさ判定部（１０４−１ａ）は、撮影した画像データが適正露出に対して、例えば−０．５ＥＶ〜＋０．５ＥＶの範囲に入っているか否かの、明るさの判定を行う。
撮影条件変更指示部（１０４−１ｂ）は、露出に関係する要素（絞り、シャッタースピード、撮像素子の感度、フラッシュの発光量など）の変更指示を行う。
再撮影指示部（１０４−１ｃ）は、撮影条件変更指示部（１０４−１ｂ）が変更した撮影条件で再撮影を指示する。
【００４０】
ＳＤＲＡＭ（１０３）は、前述したディジタルスチルカメラプロセッサ（１０４）で画像データに各種処理を施す際に、画像データを一時的に保存する。保存される画像データは、例えば、ＣＣＤ（１０１）から、Ｆ／Ｅ−ＩＣ（１０２）を経由して取りこんで、ＣＣＤ１信号処理ブロック（１０４−１）でホワイトバランス設定、ガンマ設定が行われた状態の「ＲＡＷ−ＲＧＢ画像データ」やＣＣＤ２信号処理ブロック（１０４−２）で輝度データ・色差データ変換が行われた状態の「ＹＵＶ画像データ」、ＪＰＥＧ ＣＯＤＥＣブロック（１０４−７）で、ＪＰＥＧ圧縮された「ＪＰＥＧ画像データ」などである。
【００４１】
メモリカードスロットル（１２１）は、着脱可能なメモリカードを装着するためのスロットルである。
内蔵メモリ（１２０）は、前述したメモリカードスロットル（１２１）にメモリカードが装着されていない場合でも、撮影した画像データを記憶できるようにするためのメモリである。
【００４２】
ＬＣＤドライバ（１１７）は、後述するＬＣＤモニタ（１０）を駆動するドライブ回路であり、ＴＶ信号表示ブロック（１０４−９）から出力されたビデオ信号を、ＬＣＤモニタ（１０）に表示するための信号に変換する機能も有している。
ＬＣＤモニタ（１０）は、撮影前に被写体の状態を監視する、撮影した画像を確認する、メモリカードや前述した内臓メモリ（１２０）に記録した画像データを表示する、などを行うためのモニタである。
【００４３】
ビデオＡＭＰ（１１８）は、ＴＶ信号表示ブロック（１０４−９）から出力されたビデオ信号を、７５Ωインピーダンス変換するためのアンプであり、ビデオジャック（１１９）は、ＴＶなどの外部表示機器と接続するためのジャックである。
ＵＳＢコネクタ（１２２）は、パソコンなどの外部機器とＵＳＢ接続を行う為のコネクタである。
シリアルドライバ回路（１２３−１）は、パソコンなどの外部機器とシリアル通信を行うために、前述したシリアルブロック（１０４−６）の出力信号を電圧変換するための回路であり、ＲＳ−２３２Ｃコネクタ（１２３−２）は、パソコンなどの外部機器とシリアル接続を行う為のコネクタである。
【００４４】
ＳＵＢ−ＣＰＵ（１０９）は、ＲＯＭ・ＲＡＭをワンチップに内蔵したＣＰＵであり、操作Ｋｅｙユニット（ＳＷ１〜１３）やリモコン受光部（６）の出力信号をユーザの操作情報として、前述したＣＰＵブロック（１０４−３）に出力したり、前述したＣＰＵブロック（１０４−３）より出力されるカメラの状態を、後述するセルフＬＥＤ（１１）、ＡＦ ＬＥＤ（８）、ストロボＬＥＤ（９），ブザー（１１３）の制御信号に変換して、出力する。
セルフＬＥＤ（１１）は、セルフタイマー機能が実行されたとき、セルフタイマーが作動中であることを表示するＬＥＤである。
【００４５】
ＡＦ ＬＥＤ（８）は、撮影時の合焦状態を表示するためのＬＥＤであり、ストロボＬＥＤ（９）は、ストロボ充電状態を表すためのＬＥＤである。尚、このＡＦ ＬＥＤ（８）とストロボＬＥＤ（９）を、メモリカードアクセス中などの別の表示用途に使用しても良い。
操作Ｋｅｙユニット（ＳＷ１〜１３）は、ユーザーが操作するＫｅｙ回路であり、リモコン受光部（６）は、ユーザーが操作したリモコン送信機の信号の受信部である。尚、カメラがリモコン信号を受信すると前述したセルフＬＥＤ（１１）が点灯または点滅してリモコン撮影が作動中であることを表示する。
【００４６】
ストロボ回路（１１４）は大きく分けて充電回路部と発光制御部とからなる。充電回路部は、電池電圧を昇圧して容量が１００〜２００μＦ程度のコンデンサを３００Ｖ程度まで充電する。発光制御部は充電されたコンデンンサのエネルギーを、ストロボ発光部（３）を構成するキセノン菅に供給および停止させることにより発光量を制御する。
音声記録ユニット（１１５）は、ユーザーが音声信号を入力するマイク（１１５−３）、入力された音声信号を増幅するマイクＡＭＰ（１１５−２）、増幅された音声信号を記録する音声記録回路（１１５―１）からなる。
【００４７】
音声再生ユニット（１１６）は、記録された音声信号をスピーカーから出力できる信号に変換する音声再生回路（１１６−１）、変換された音声信号を増幅し、スピーカーを駆動するためのオーディオＡＭＰ（１１６−２）、音声信号を出力するスピーカー（１１６−３）からなる。
【００４８】
次に、ディジタルカメラでのインターバル撮影動作のシーケンスを、図３を用いて説明する。
ディジタルカメラは、メニューＳＷ（ＳＷ６）の操作により表示されるメニューの中からインターバル撮影モードが選択・設定されているとする。
シャッターボタン（レリーズシャッター）（ＳＷ１）は通常２段の機械的スイッチで、第１段（半押しの状態）の信号をＲＬ１、第２段（全押しの状態）の信号をＲＬ２とする。
【００４９】
図３に示すように、レリーズシャッター（ＳＷ１）がＯＮされるとインターバル撮影がスタートし、まず設定されている時間（タイマー）をリセットしてスタートさせ（ステップＳ１）、被写体を１枚撮影する（ステップＳ２）。
撮影は通常撮影の場合と同じで、測距ユニット（５）の測距結果に基づいてＦＯＣＵＳレンズ（７−２ａ）を移動させてピント合わせを行い、撮像素子の出力が所定のレベルになったら積分動作を終了して露出を完了し、信号処理を行って画像データを得ることになる。
【００５０】
そして、得られた画像データから明るさ判定部（１０４−１ａ）が画像の明るさを判定し（ステップＳ３）、画像の明るさが所定範囲内であれば（例えば適正露出に対して−０．５ＥＶ〜＋０．５ＥＶの範囲）（ステップＳ４：ＹＥＳ）、その画像をそのままメモリーに記録する（ステップＳ７）。
所定範囲外であれば（ステップＳ４：ＮＯ）、撮影条件変更指示部（１０４−１ｂ）が露出に関係する要素（撮影条件）（絞り、シャッタースピード、撮像素子の感度、フラッシュの発光量など）の変更指示を行い、露出に関係する要素を変更して（ステップＳ５）、再撮影指示部（１０４−１ｃ）は、変更した撮影条件で再撮影を指示し、再撮影を実行する（ステップＳ６）。
【００５１】
当然のことながら、このときに変更する量は１回目の撮影で得られた画像の明るさと目標とする明るさの差に相当する量および２回目の撮影時の被写体の明るさによって決まる。そして、２回目の撮影画像をメモリーに記録する。
【００５２】
次に、メモリーが一杯になったかどうかの判定を行い（ステップＳ８）、メモリーにまだ空きがあれば（ステップＳ８：ＮＯ）、インターバル撮影の停止操作が行われたかの判定を行う（ステップＳ９）。インターバル撮影の停止操作とは、例えばＯＫＳＷ（ＳＷ１２）を押されたり、電源ＳＷ（１３）をＯＦＦされたりすることである。
停止操作がなされていなければ（ステップＳ９：ＮＯ）、次にインターバル時間が経過したかどうかの判定を行い（ステップＳ１０）、経過していなければ（ステップＳ１０：ＮＯ）、インターバル撮影の停止操作が行われたかの判定に戻り（ステップＳ９）、経過していればタイマーリセットスタートに戻り次の撮影を行う（ステップＳ１０：ＹＥＳ）。
メモリーの判定のところで（ステップＳ８）、メモリーに空きがなかったり、停止操作が行われた場合は（ステップＳ８：ＹＥＳ）、インターバル撮影を終了する（ステップＳ１１）。
【００５３】
図３においては、失敗撮影があって再撮影を行ったときは、記録する画像は再撮影時のものだけであるが、撮影した画像を全て記録するようにカメラが設定されている場合は、図４のようになる。尚、図４に示したステップ番号（例えば、ステップＳ１など）の動作は、図３に示した同一ステップ番号の動作に同じである。
すなわち、図４に示すように、ステップ２において撮影を行った画像は直ちに記録し（ステップＳ２Ａ）、画像の明るさ判定を行い（ステップＳ３）、以下、図３に示した場合と同一の処理を行う（ステップＳ４〜ステップＳ１１）。
また、図３、図４においては、メモリーが一杯になったり、停止操作を行われたときにインターバル撮影を終了しているが、あらかじめ撮影枚数が設定できる場合は、その設定枚数の撮影が終わったら終了になる。
【００５４】
図５は、セルフタイマー撮影動作のシーケンスを示すフローチャートである。
ディジタルカメラは、メニューＳＷ（ＳＷ６）の操作により表示されるメニューの中からセルフタイマー撮影モードが選択・設定されているとする。
図５に示すように、レリーズシャッター（ＳＷ１）がＯＮされるとセルフタイマー撮影がスタートし（ステップＳ２１）、まずセルフタイマー撮影が作動中という表示がセルフＬＥＤ（１１）の点灯または点滅で行われる（ステップＳ２２）。一般的には１０秒間程度表示が行われたあと、撮影が実行される。
【００５５】
次に、セルフタイマー撮影解除の操作がなされたか判定し（ステップＳ２３）、解除されていなければ（ステップＳ２３：ＮＯ）、所定時間が経過したかの判定が行われる（ステップＳ２４）。そして、所定時間が経過していなければ（ステップＳ２４：ＮＯ）、セルフタイマー撮影解除の操作がなされたかの判定に戻り（ステップＳ２３）、所定時間が経過していれば（ステップＳ２４：ＹＥＳ）、撮影を行う（ステップＳ２５）。また、セルフタイマー撮影解除の操作がなされた場合は（ステップＳ２３：ＹＥＳ）、セルフタイマー撮影終了となる（ステップＳ３２）。
【００５６】
以下、撮影された画像の明るさを判定するところから（ステップＳ２６）、終了（エンド）までは基本的に図３と同じであるが、再撮影を行うときには、再撮影を行うという警告表示を行っている（ステップＳ２８）。例えば２秒間程度セルフＬＥＤ（１１）の点灯または点滅を行い、撮影条件を修正変更して（ステップＳ２９）、撮影を行う（ステップＳ３０）。
【００５７】
図６は、リモコン撮影動作を説明するためのフローチャートである。
図６に示すように、撮影動作の開始がリモコンで行われるということ（ステップＳ４１〜ステップＳ４３、ステップＳ５１）以外は、図５のセルフタイマー撮影動作と同じである（ステップＳ４４〜ステップＳ５０が、図５のステップＳ２５〜ステップＳ３１に同じ）。
また、設定された時刻になったら撮影を行うタイマー撮影は、セルフタイマー撮影と同様に説明できるし、リモコン以外の有線、無線を問わない遠隔操作による撮影も、撮影動作の開始をあたえる形態が違うだけで、リモコン撮影と同じように説明できる。
【００５８】
上記の動作説明では、再撮影の警告表示をＬＥＤで行っているが、他の視覚的方法、或いはスピーカ等による音の表示（聴覚的表示）でもかまわない。また、図３のインターバル撮影動作のときでも警告表示をしてもよい。このときは上記方法以外にＬＣＤモニタに表示することも有効である。
再撮影について、上記例では最初に撮影された画像の明るさが適切でなかったら再撮影を行ってその画像を記録しているが、２度目の画像に対しても明るさが適切かどうかの判定を行い、適切でない場合は再度撮影するようにしてもかまわない。
【図面の簡単な説明】
【００５９】
【図１】本発明の実施の形態に使用する画像記録装置の一例であるディジタルカメラの外観図であって、（Ａ）は上面図、（Ｂ）は正面図、（Ｃ）は裏面図である。
【図２】同ディジタルカメラの機能ブロック図である。
【図３】同ディジタルカメラのインターバル撮影モードにおける第１の動作（失敗撮影があって再撮影を行ったときは、記録する画像は再撮影時のものだけ）を示すフローチャートである。
【図４】同インターバル撮影モードにおける第２の動作（失敗撮影があって再撮影を行ったときは、撮影した画像を全て記録）を示すフローチャートである。
【図５】同セルフタイマー撮影モードの動作を示すフローチャートである。
【図６】同リモコン撮影モードの動作を示すフローチャートである。
【符号の説明】
【００６０】
ＤＳＣ…ディジタルカメラ
ＳＷ1…レリーズシャッター
ＳＷ５…セルフタイマー／削除スイッチ
ＳＷ６…メニュースイッチ
５…測距ユニット
６…リモコン受光部
７…鏡胴ユニット
１０…ＬＣＤモニタ
１０１…ＣＣＤ
１０４…ディジタルスチルカメラプロセッサ
１０４−１…ＣＣＤ１信号処理ブロック
１０４−１ａ…明るさ判定部
１０４−１ｃ…再撮影指示部
１０４−１ｂ…撮影条件変更指示部
１０４−３…ＣＰＵブロック
１１６−３…スピーカー
【図１】
2009005058.tif 000003
【図２】
2009005058.tif 000004
【図３】
2009005058.tif 000005
【図４】
2009005058.tif 000006
【図５】
2009005058.tif 000007
【図６】
2009005058.tif 000008